(57)【要約】【課題】中間部屋の面積を小さくすることなく、該中間部屋から容易に利用できる収納部を備えた建物を提供する。【解決手段】１階床１から、中間部屋２０の天井２１から水平に延出する延出天井２１ａまで吹き抜ける吹抜け空間２３が中間部屋２０に面して設けられており、吹抜け空間２３の平断面の少なくとも一部に、収納部２前記延出天井２１ａから垂下して設けられており、この収納部２５の開口部２５ａが前記中間部屋２０側に向いているので、中間部屋２０から収納部２５に容易に物を出し入れできる。また、収納部２５は吹抜け空間２３に存在しており、中間部屋２０に存在していないので、中間部屋２０の面積を小さくすることもない。【選択図】図１
2010053639.tif 000002
【特許請求の範囲】
【請求項１】
１階床の一部の上方に中間床が設けられ、この中間床の下方が天井高が０．９〜１．４ｍの収納空間となっており、前記中間床の上方が、天井が２階床より高い中間部屋となっている建物において、
前記１階床から、前記中間部屋の天井から水平に延出する延出天井まで吹き抜ける吹抜け空間が前記中間部屋に面して設けられており、
前記吹抜け空間の平断面の少なくとも一部には、収納部が前記延出天井から垂下して設けられており、この収納部の開口部が前記中間部屋側に向いていることを特徴とする建物。
【請求項２】
請求項１に記載の建物において、
前記中間床の、前記吹抜け空間側に位置する縁部には、手摺部が前記収納部の下方において設けられていることを特徴とする建物。
【請求項３】
請求項２に記載の建物において、
前記手摺部は透明な手摺壁で構成されており、この手摺壁の上端と、前記収納部の下端との間に隙間が設けられていることを特徴とする建物。
【請求項４】
請求項１〜３のいずれか一項に記載の建物において、
前記吹抜け空間の上部は２階の内壁に面しており、この２階の内壁に前記収納部が隣接しており、前記２階の内壁に、前記収納部に物を出し入れ可能な第２開口部が形成されていることを特徴とする建物。
【請求項５】
請求項４に記載の建物において、
前記収納部には、棚板が前記２階床と等しい高さに設けられていることを特徴とする建物。
【発明の詳細な説明】
【技術分野】
【０００１】
本発明は、１階に設けられた中間床の下方が収納空間となっており、中間床の上方が、天井が２階床より高い中間部屋となっている建物に関する。
【背景技術】
【０００２】
前記のような建物の一例として特許文献１に記載のものが知られている。この建物は、１階床の一部の上方に中間床が設けられ、この中間床の下方が天井高が０．９〜１．４ｍの収納空間となっており、前記中間床の上方が、天井が２階床より高い中間部屋となっている。
また、１階床から、前記中間部屋の天井から水平に延出する延出天井まで吹き抜ける吹抜け空間が前記中間部屋に面して設けられている。
さらに、２階床の一部の上方には２階中間床が、前記中間部屋の天井と等しい高さに設けられており、この２階中間床と２階床との間が天井高が０．９〜１．４ｍの第２収納空間となっている。
そして、この第２収納空間は前記吹抜け空間に面して設けられており、該第２収納空間を形成する、前記吹抜け空間に面する壁には、開口部が形成されており、この開口部に位置する第２収納空間の床に、薄型のテレビが設置され、このテレビを前記中間部屋から吹抜け空間を通して見られるようになっている。
【特許文献１】特開２００６−４５８８２号公報
【発明の開示】
【発明が解決しようとする課題】
【０００３】
ところで、前記中間部屋に収納部を設ける場合、この収納部の分だけ中間部屋の面積が小さくなってしまう。そこで、前記第２収納空間の一部を中間部屋用の収納部として利用することも考えられるが、中間部屋と第２収納空間との間には吹抜け空間が介在しているので、中間部屋から第２収納空間に物を出し入れし難いという問題がある。
【０００４】
本発明は上記事情に鑑みてなされたもので、中間部屋の面積を小さくすることなく、該中間部屋から容易に利用できる収納部を備えた建物を提供することを課題としている。
【課題を解決するための手段】
【０００５】
上記課題を解決するために、請求項１に記載の発明は、例えば図１〜図５に示すように、１階床１の一部の上方に中間床２が設けられ、この中間床２の下方が天井高が０．９〜１．４ｍの収納空間３となっており、前記中間床３の上方が、天井２１が２階床２２より高い中間部屋２０となっている建物において、
前記１階床１から、前記中間部屋２０の天井２１から水平に延出する延出天井２１ａまで吹き抜ける吹抜け空間２３が前記中間部屋２０に面して設けられており、
前記吹抜け空間２３の平断面の少なくとも一部には、収納部２５が前記延出天井２１ａから垂下して設けられており、この収納部２５の開口部２５ａが前記中間部屋２０側に向いていることを特徴とする。
【０００６】
請求項１に記載の発明によれば、１階床１から延出天井２１ａまで吹き抜ける吹抜け空間２３の平断面の少なくとも一部に、収納部２５が前記延出天井２１ａから垂下して設けられており、この収納部２５の開口部２５ａが中間部屋２０側に向いているので、中間部屋２０から収納部２５に容易に物を出し入れできる。
また、収納部２５は吹抜け空間２３に存在しており、中間部屋２０に存在していないので、中間部屋２０の面積を小さくすることもない。
【０００７】
請求項２に記載の発明は、請求項１に記載の建物において、
前記中間床２の、前記吹抜け空間２３側に位置する縁部には、手摺部２３が前記収納部２５の下方において設けられていることを特徴とする。
【０００８】
請求項２に記載の発明によれば、中間床２の吹抜け空間２３側に位置する縁部に、手摺部２３が収納部２５の下方において設けられているので、住人が中間床２から吹抜け空間２３側に落ちるのを防止できる。
【０００９】
請求項３に記載の発明は、請求項２に記載の建物において、
前記手摺部３２は透明な手摺壁３２で構成されており、この手摺壁３２の上端と、前記収納部２５の下端との間に隙間Ｓが設けられていることを特徴とする。
【００１０】
請求項３に記載の発明によれば、手摺部３２は透明な手摺壁３２で構成されているので、中間部屋２０から１階床１上の部屋（リビングダイニング９）を見ることができる。また、手摺壁３２の上端と、前記収納部２５の下端との間に隙間Ｓが設けられているので、この隙間Ｓを通して、中間部屋２０と１階床１上の部屋（リビングダイニング９）との間で空気や音が流通し、換気やコミュニケーションをとることができる。
【００１１】
請求項４に記載の発明は、請求項１〜３のいずれか一項に記載の建物において、
前記吹抜け空間２３の上部は２階の内壁３０に面しており、この２階の内壁３０に前記収納部２５が隣接しており、前記２階の内壁３０に、前記収納部２５に物を出し入れ可能な第２開口部２５ｂが形成されていることを特徴とする。
【００１２】
請求項４に記載の発明によれば、収納部２５を２階の部屋からも使用することができるので、便利である。
【００１３】
請求項５に記載の発明は、請求項４に記載の建物において、
前記収納部２５には、棚板２５ｃが前記２階床２２と等しい高さに設けられていることを特徴とする。
【００１４】
請求項５に記載の発明によれば、収納部２５に、棚板２５ｃが２階床２２と等しい高さに設けられているので、２階床２２から収納部２５に物を水平移動させて出し入れできる。
【発明の効果】
【００１５】
本発明によれば、１階床から、中間部屋の天井から水平に延出する延出天井まで吹き抜ける吹抜け空間が前記中間部屋に面して設けられており、前記吹抜け空間の少なくとも一部に、収納部が前記延出天井から垂下して設けられており、この収納部の開口部が前記中間部屋側に向いているので、中間部屋から収納部に容易に物を出し入れできる。また、収納部は吹抜け空間に存在しており、中間部屋に存在していないので、中間部屋の面積を小さくすることもない。
【発明を実施するための最良の形態】
【００１６】
以下図面を参照して本発明の実施の形態について説明する。
図１は本発明に係る建物の縦断面図、図２は同建物の１階の平面図、図３は同建物の２階の平面図、図４は同建物の２．５階の平面図である。
図１に示すように、１階床１の一部の上方には中間床２が設けられており、この中間床２の下方、つまり中間床２と１階床１との間が収納空間３となっている。この収納空間３の天井高は０．９〜１．４ｍとなっている。
【００１７】
図２に示すように、収納空間３は建物の北側の外壁、この外壁に平行な内壁４、この内壁４と前記外壁とに直交する二つの内壁５，６によって矩形状に囲まれており、内壁４と内壁５とにそれぞれ収納空間３への出入口３ａ，３ｂが形成されている。
出入口３ａには図２において左右に移動可能な家具７，７が収納空間３側に設けられており、この家具７，７によって出入口３ａが開閉されるようになっている。また、出入口３ｂは引戸８によって開閉されるようになっている。
【００１８】
収納空間３の南側には、リビングダイニング９が配置されており、このリビングダイニング９の東側に玄関１０が配置されている。玄関１０の玄関土間１０ａには、北側に向けて延在する土間廊下１１が配置されている。この土間廊下１１の北側の端部には、ホール１２が隣接配置されており、このホール１２に前記収納空間３への出入口３ｂが面している。
また、リビングダイニング９の西側には、キッチン１３が配置されており、このキッチン１３の北側に洗面室１４と浴室１５が配置されている。浴室１５の東側にはトイレ１６が配置されており、このトイレ１６を形成する内壁と収納空間３を形成する内壁６との間に、１階床１から中間床２に至る階段１７が配置されている。階段１７の上端は中間床２と等しい高さに設けられた踊り場１８（図３参照）に接続されている。
【００１９】
前記中間床２の上方は中間部屋２０となっており、この中間部屋２０への出入口は前記踊り場１８に面して設けられている。また、中間部屋２０の天井２１は２階床２２より高くなっている。
中間部屋２０の天井２１は、１階床１の上方側に向けて水平に延出しており、この延出天井２１ａと１階床１との間に吹抜け空間２３が設けられている。つまり、１階床１から延出天井２１ａまで吹き抜ける吹抜け空間２３が設けられており、この吹抜け空間２３は前記中間部屋２０に壁がない状態で面している。
【００２０】
前記吹抜け空間２３の上部には、収納部２５が前記延出天井２１ａから垂下して設けられている。収納部２５は、吹抜け空間２５の平断面全体に設けられており、該収納部２５の下面は１階の天井１ａとほぼ等しい高さになっている。
また、図３に示すように、中間部屋２０を形成する内壁２６，２７は前記吹抜け空間２３側に延出しており、この延出壁２６ａ，２７ａが前記収納部２５の側壁を構成している。なお、内壁２６は前記収納空間３に設けられた内壁３ｃ上に配置され、内壁２７は収納空間３を形成する内壁５上に配置されている。
【００２１】
収納部２５は、図３に示すように、平面視において、左右に長尺な長方形に形成されており、この収納部２５の開口部２５ａは中間部屋２０側に向いている。開口部２５ａには３組の両開き戸２８が設けられており、該両開き戸２８によって開口部２５ａが開閉されるようになっている。
また、図１に示すように、吹抜け空間２３の上部は２階の内壁３０に面しており、この２階の内壁３０に収納部２５が隣接している。２階の内壁３０には、収納部２５に物を出し入れ可能な第２開口部２５ｂが形成されており、この第２開口部２５ｂには、図３に示すように、複数の引戸３１が設けられている。これら引戸３１・・・は引違い戸を構成しており、該引戸３１によって第２開口部２５ｂが開閉されるようになっている。
さらに、前記収納部２５には、図１に示すように、棚板２５ｃが２階床２２と等しい高さに設けられている。棚板２５ｃは複数枚設けられており、これらはそれぞれ取外し可能となっている。したがって、収納部２５の平面視における所望の位置に棚板２５ｃを設けることができるようになっている。
【００２２】
また、図１および図５に示すように、前記中間床２の、前記吹抜け空間２３側に位置する縁部には、手摺部３２が収納部２５の下方において設けられている。この手摺部３２は透明な手摺壁３２で構成されており、この手摺壁３２の上端部には笠木が設けられている。また、手摺壁３２の上端の笠木と収納部２５の上端との間には隙間Ｓが設けられている。
【００２３】
図３に示すように、前記踊り場１８と２階床２２との間には階段３３が設けられており、この階段３３の下り口には左右（東西）方向に延在する廊下３４が配置されており、この廊下３４に面して前記引戸３１が設けられている。廊下３４の南側には部屋３５が配置されており、この部屋３５の西側に部屋３６が配置されている。また、部屋３５の東側にはバルコニー３７が配置されている。
部屋３６の北側には、第２収納空間３８が配置されている。この第２収納空間３８は２階床２２と、この２階床２２の一部の上方に設けられた第２中間床との間に設けられたものであり、天井高は０．９〜１．４ｍとなっている。この第２中間床と、前記中間部屋２０の天井２１が下面に設けられた第２中間床３０（図１参照）とは等しい高さとなっている。
【００２４】
前記廊下３４の西側の端部には、２階床から２．５階の床に至る階段４１が設けられており。この階段４１の上端部は、図４に示すように、ホール４２に接続されている。このホール４２の東西にそれぞれ部屋４３，４４が配置されている。また、ホール４２の北側にはトイレ４５が配置されている。また、部屋４３の南側には、ロフト４６が配置されている。
【００２５】
本実施の形態によれば、１階床１から延出天井２１ａまで吹き抜ける吹抜け空間２３の平断面の全体に、収納部２５が前記延出天井２１ａから垂下して設けられており、この収納部２５の開口部２５ａが中間部屋２０側に向いているので、中間部屋２０から収納部２５に容易に物を出し入れできる。
また、収納部２５は吹抜け空間２３に存在しており、中間部屋２０に存在していないので、中間部屋２０の面積を小さくすることもない。
さらに、吹抜け空間２３の上部は２階の内壁３０に面しており、この２階の内壁３０に前記収納部２５が隣接しており、前記２階の内壁３０に、収納部２５に物を出し入れ可能な第２開口部２５ｂが形成されているので、収納部２５を２階の廊下３４や部屋からも使用することができるので、便利である。
加えて、収納部２５には、棚板２５ｃが２階床２２と等しい高さに設けられているので、２階床２２から収納部２５に物を水平移動させて出し入れできる。
【００２６】
また、中間床２の、吹抜け空間２３側に位置する縁部には、手摺部３２が収納部２５の下方において設けられているので、住人が中間床２から吹抜け空間２３側に落ちるのを防止できる。
また、手摺部３２は透明な手摺壁３２で構成されており、この手摺壁３２の上端と、前記収納部２５の下端との間に隙間Ｓが設けられているので、中間部屋２から１階床１上のリビングダイニング９を見ることができ、またこの隙間Ｓを通して、中間部屋２と１階床１上のリビングダイニング９との間で空気や音が流通し、換気やコミュニケーションをとることができる。
【００２７】
なお、本実施の形態では、１階床１から延出天井２１ａまで吹き抜ける吹抜け空間２３の平断面の全体に、収納部２５を前記延出天井２１ａから垂下して設けたが、収納部２５は吹抜け空間２３の平断面の少なくとも一部に設けてもよい。
また、本実施の形態では、収納部２５の下面を１階の天井１ａとほぼ等しい高さにしたが、収納部２５の下面は天井１ａより低くしてもよいし、中間床２５の上面と等しい高さにしてもよい。
【図面の簡単な説明】
【００２８】
【図１】本発明に係る建物の一例を示すもので、その縦断面図である。、図２は同建物の１階の平面図、図３は同建物の２階の平面図、図４は同建物の２．５階の平面図である。
【図２】同、建物の１階の平面図である。
【図３】同、建物の２階の平面図である
【図４】同、建物の２．５階の平面図である
【図５】同、中間部屋から収納部を見た斜視図である。
【符号の説明】
【００２９】
１  １階床
２  中間床
３  収納空間
２０  中間部屋
２１  天井
２１ａ  延出天井
２２  ２階床
２３  吹抜け空間
２５  収納部
２５ａ  開口部
２５ｂ  第２開口部
２５ｃ  棚板
３０  ２階の内壁
３２  手摺部
【図１】
2010053639.tif 000003
【図２】
2010053639.tif 000004
【図３】
2010053639.tif 000005
【図４】
2010053639.tif 000006
【図５】
2010053639.tif 000007